(57)【要約】      （修正有）【課題】簡単な操作で任意のタイミングで利用者が白米を小分けできる精米設備を提供する。【解決手段】精米設備は、料金投入部１３ａと精白度選択スイッチ１３ｂとを備え、玄米投入部の投入玄米について、投入料金の限度内で選択に係る精白度で精米運転する精米機６により、精白米を袋詰め可能に白米タンクに貯留するように構成され、前記精米運転を一時的に停止する一時停止制御と、この一時停止制御を適用するための一時停止スイッチＰとを設けることで、簡易な取扱いによる白米の小分けを可能とするものである。【選択図】図４
2018012074.tif 000002
【特許請求の範囲】
【請求項１】
料金投入部(１３ａ)と精白度選択スイッチ(１３ｂ)と精米機(６)とを備え、玄米投入部(２)の投入玄米について、投入料金の限度内で選択に係る精白度に精米運転することにより、精白米を袋詰め可能に白米タンク(６ａ)に貯留する精米設備において、
前記精米運転を一時的に停止する一時停止制御と、この一時停止制御を適用するための一時停止スイッチ(Ｐ)とを設けたことを特徴とする精米設備。
【請求項２】
前記一時停止スイッチ(Ｐ)は、前記精米機(６)への玄米供給を停止して精米機(６)内の白米を白米タンク(６ａ)に排出した上で前記精米機(６)を停止させるとともに、前記精米運転に伴う料金のカウントを停止することを特徴とする請求項１に記載の精米設備。
【請求項３】
前記一時停止スイッチ(Ｐ)の操作により一時停止した場合の前記精白度選択スイッチ(１３ｂ)の操作により、対応する白度で精米運転を再開することを特徴とする請求項１又は請求項２に記載の精米設備。
【請求項４】
前記一時停止スイッチ(Ｐ)の操作により一時停止した場合の再度の一時停止スイッチ(Ｐ)の操作により、共通の精白度で精米運転を再開することを特徴とする請求項１から請求項３のいずれかに記載の精米設備。
【請求項５】
前記玄米投入部(２)内の残余玄米が所定量以下の場合に、前記一時停止スイッチ(Ｐ)の操作を無効とすることを特徴とする請求項１から請求項４のいずれかに記載の精米設備。
【請求項６】
前記精米機(６)の精米処理開始時に、前記精米機(６)の圧迫板を略全閉にしてから選択の精白度位置まで開く所定時間に及ぶ精米初期制御を適用するとともに、この精米初期制御の終了までの範囲で前記一時停止スイッチ(Ｐ)の操作を無効とすることを特徴とする請求項１から請求項５のいずれかに記載の精米設備。
【請求項７】
前記玄米投入部(２)と前記精米機(６)との間に石抜機(４)を介設し、前記玄米投入部(２)の投入玄米が尽きたことを検出すると、残米処理運転に移行するとともに、前記石抜機(４)の残米処理の終了までの間について、前記一時停止スイッチ(Ｐ)の操作による前記一時停止制御を適用することを特徴とする請求項１から請求項６のいずれかに記載の精米設備。
【発明の詳細な説明】
【技術分野】
【０００１】
本発明は、利用者持込みの玄米を自動精米処理する精米設備に関する。
【背景技術】
【０００２】
特許文献１には、利用者の投入玄米について、各種の精白度の白米を設定量毎に自動精米処理する精米設備が開示されている。この精米設備により、事前に設定した量別に小分けして精米することができる。
【先行技術文献】
【特許文献】
【０００３】
【特許文献１】特許５１２５８１２号公報
【発明の概要】
【発明が解決しようとする課題】
【０００４】
しかしながら、利用者は持参した玄米を任意の量で小分けしたいという需要がある。上記精米設備による場合は、小分けするそれぞれについて、精白度と運転料金を精米運転前に設定する必要があり、煩雑な準備操作を強いられるという問題があった。
【０００５】
本発明の目的は、簡単な操作で任意のタイミングで利用者が白米を小分けできる精米設備を提供することにある。
【課題を解決するための手段】
【０００６】
請求項１に係る発明は、料金投入部(１３ａ)と精白度選択スイッチ(１３ｂ)と精米機(６)とを備え、玄米投入部(２)の投入玄米について、投入料金の限度内で選択に係る精白度で精米運転することにより、精白米を袋詰め可能に白米タンク(６ａ)に貯留する精米設備において、前記精米運転を一時的に停止する一時停止制御と、この一時停止制御を適用するための一時停止スイッチ(Ｐ)とを設けたことを特徴とする。
【０００７】
請求項２に係る発明は、請求項１に係る発明において、前記一時停止スイッチ(Ｐ)は、前記精米機(６)への玄米供給を停止して精米機(６)内の白米を白米タンク(６ａ)に排出した上で前記精米機(６)を停止させるとともに、前記精米運転に伴う料金のカウントを停止することを特徴とする。
【０００８】
請求項３に係る発明は、請求項１又は請求項２に係る発明において、前記一時停止スイッチ(Ｐ)の操作により一時停止した場合の前記精白度選択スイッチ(１３ｂ)の操作により、対応する白度で精米運転を再開することを特徴とする。
【０００９】
請求項４に係る発明は、請求項１から請求項３のいずれかに係る発明において、前記一時停止スイッチ(Ｐ)の操作により一時停止した場合の再度の一時停止スイッチ(Ｐ)の操作により、共通の精白度に精米運転を再開することを特徴とする。
【００１０】
請求項５に係る発明は、請求項１から請求項４のいずれかに係る発明において、前記玄米投入部(２)内の残余玄米が所定量以下の場合に、前記一時停止スイッチ(Ｐ)の操作を無効とすることを特徴とする。
【００１１】
請求項６に係る発明は、請求項１から請求項５のいずれかに係る発明において、前記精米機(６)の精米処理開始時に、前記精米機(６)の圧迫板を略全閉にしてから選択の精白度位置まで開く所定時間に及ぶ精米初期制御を行うとともに、この精米初期制御の終了までの範囲で前記一時停止スイッチ(Ｐ)の操作を無効とすることを特徴とする。
【００１２】
請求項７に係る発明は、請求項１から請求項６のいずれかに係る発明において、前記玄米投入部(２)と前記精米機(６)との間に石抜機(４)を介設し、前記玄米投入部(２)の投入玄米が尽きたことを検出すると、残米処理運転に移行するとともに、前記石抜機(４)の残米処理の終了までの間について、前記一時停止スイッチ(Ｐ)の操作による前記一時停止制御を適用することを特徴とする。
【発明の効果】
【００１３】
請求項１に係る発明は、投入料金の限度内で選択に係る精白度に精米機(６)が精米運転することにより、精白米を袋詰め可能に白米タンク(６ａ)に貯留し、その間に一時停止スイッチ(Ｐ)を操作すると一時停止制御が適用されて精米運転が一時的に停止することから、停止までの間に白米タンク(６ａ)に貯留された精白米の小分け取出しが可能となる。
【００１４】
請求項２に係る発明は、請求項１に係る発明の効果に加え、一時停止スイッチ(Ｐ)によって精米運転が停止すると、精米機(６)内を空にして停止するので、その後の精米再開が容易となり、また、精米運転の再開までの間は料金のカウントが停止することから、白米袋詰め操作のために利用者が必要とする時間を確保することができる。
【００１５】
請求項３に係る発明は、請求項１又は請求項２に係る発明の効果に加え、精米運転の一時停止時において、精白度選択スイッチ(１３ｂ)を操作することにより、対応する白度で精米運転を再開することから、簡単な操作により、選択した新たな精白度で小分け精米が可能となる。
【００１６】
請求項４に係る発明は、請求項１から請求項３のいずれかに係る発明の効果に加え、精米運転の一時停止時において、再度の一時停止スイッチ(Ｐ)の操作により、精白度選択スイッチ(１３ｂ)の操作を要することなく、共通の精白度で精米運転が再開されることから、簡易な操作により、精白度選択スイッチ(１３ｂ)の誤操作を防止して、同一条件の精米運転による小分け精米が可能となる。
【００１７】
請求項５に係る発明は、請求項１から請求項４のいずれかに係る発明の効果に加え、投入残量が少ない場合に小分け精米を規制することで、精米不良を防止できる。
【００１８】
請求項６に係る発明は、請求項１から請求項５のいずれかに係る発明の効果に加え、精米初期制御の間について小分け精米を規制することで、精米不良を防止できる。
【００１９】
請求項７に係る発明は、請求項１から請求項６のいずれかに係る発明の効果に加え、石抜機(４)の残米による小分け精米を可能とするとともに、石抜機(４)の残米処理終了後は小分け精米を規制することで精米不良を防止できる。
【図面の簡単な説明】
【００２０】
【図１】精米処理工程の展開図
【図２】機器配置図
【図３】操作部の見取図
【図４】精米制御の入出力ブロック図
【図５】小分け運転制御のフローチャート
【図６】小分け運転制御のフローチャート（続き）
【発明を実施するための形態】
【００２１】
上記技術思想に基づいて具体的に構成された実施の形態について以下に図面を参照しつつ説明する。  
【００２２】
（全体構成）
本発明に係る制御部を備える精米設備１は、図１に精米処理工程の展開図を示すように、投入された玄米を受ける投入ホッパによる玄米投入部２と、この玄米投入部２から取込んだ玄米を上位排出する第１昇降機３と、この第１昇降機３から受けた玄米中の異物を揺動選別する石抜機４と、その選別玄米を上位排出する第２昇降機５と、この第２昇降機５から玄米タンク６ｂを介して玄米を受ける精米機６と、その精白処理米を受ける白米タンク６ａと、これら機器を統括制御する不図示の制御部等から構成され、後述の操作パネルに設けた押しボタン式の一時停止スイッチＰによって精米運転を中断する一時停止制御により、白米の小分け取出しを可能に構成する。
【００２３】
（機器配置）
上記精米設備１は、その構成例の機器配置図を図２に示すように、建家１１を前後に仕切る仕切部（仕切壁）１２を設け、前面側を穀粒の取扱いおよび精白度等を設定をするための客室１１ａとし、後面側を機器格納用の機械室１１ｂとする。上記建家１１の片側端（図例は左側端）を投入側として投入ホッパ２を配置し、他側端（同右側端）を取出側として白米タンク６ａを配置し、投入ホッパ２から第１昇降機３、石抜機４、第２昇降機５、玄米タンク６ｂ、精米機６を介して白米タンク６ａに至る白米処理系を形成する。
【００２４】
（操作部）
仕切部１２には、操作部の見取図を図３に示すように、左側を投入側として投入ホッパ２による玄米投入部、中央部に操作盤１３、右側を取出側として白米タンク６ａから白米を受ける白米取出部１６を配置する。玄米投入部２にはシャッタースイッチ１４ａが、操作盤１３には料金投入部１３ａ、「標準」「８分つき」「５分つき」等の白度選択と運転開始を兼ねる精白度選択スイッチ１３ｂが配置される。
【００２５】
（入出力構成）
一時停止制御を有する制御部Ｃの入出力構成は、通常の精米構成に一時停止スイッチＰを加え、白米の小分け取出しの際に精米機を一時停止可能に構成する。すなわち、制御構成の入出力ブロック図を図４に示すように、料金投入部１３ａを構成するコインセンサ、投入ホッパ２の玄米有無センサ２ｓ、精白度選択スイッチ１３ｂの入力信号に加えて一時停止スイッチＰを設け、また、投入ホッパ２のロータリバルブ２ｒ、石抜機４、精米機６を制御可能に構成する。
【００２６】
詳細には、コインセンサ（料金投入部１３ａ）は投入金額を検出して精米運転時間を規定し、玄米有無センサ２ｓは投入ホッパ２の玄米消費を検出して精米運転を残米処理運転に切換え、精白度選択スイッチ１３ｂは、選択による精白度の精米運転の開始と再開を指示し、一時停止スイッチＰは、精米運転の一時的停止または再開を指示する。
【００２７】
また、投入ホッパ２のロータリバルブ２ｒは、精米運転に応じて投入玄米を石抜機４に供給し、石抜機４の石抜機シャッタ４ｓは、精米終了時に開いて石抜機４の残米を送出し、玄米タンク６ｂのロータリバルブ６ｒは、精米運転に応じて玄米を精米機６側に搬出し、精米機６は、精米運転により白米を白米タンク６ａに供給し、精米運転終了時に内部の白米を白米タンク６ａに全量排出して次の精米運転を開始可能に、制御部Ｃがそれぞれ作動制御する。
【００２８】
（精米運転制御）
次に、精米運転における一時停止制御について、図５、図６の小分け運転制御のフローチャートに沿って説明する。
【００２９】
料金投入部１３ａ、玄米有無センサ２ｓによる玄米投入部２、精白度選択スイッチ１３ｂについて利用者の操作を確認する第１の処理ステップ（以下において、「Ｓ１」の如く略記する。）によって精米運転を開始（Ｓ１ａ）し、精米機初期制御（Ｓ１ｂ）によって精米機６の圧迫板を略全閉にしてから選択の精白度位置に開くまでの所定時間の経過を待ち、すなわち、一時停止スイッチＰの操作を無効とした上で、投入玄米量の判定（Ｓ２）を行う。
【００３０】
投入玄米量の判定結果が過少の場合、すなわち、投入ホッパ２からの玄米量が設定量（例えば、５ｋｇ）以下で投入ホッパ２の玄米無しを検出した場合は、投入量不足に伴う終了処理により、一時停止スイッチＰの機能を停止（Ｓ２ａ）して一時停止制御を不適用とした上で、残米処理運転（Ｓ２ｂ）を経て精米運転を終了（Ｓ２ｃ）する。  
【００３１】
また、投入玄米量の判定（Ｓ２）により、投入玄米量が適正範囲であれば、通常精米運転（Ｓ３）を投入ホッパ２の玄米量の判定（Ｓ５）によって投入玄米が尽きるまでの間の通常精米運転（Ｓ３）について、一時停止スイッチＰを機能させて利用者による小分け取出しと運転再開を可能に作動制御する。  
【００３２】
すなわち、上記通常精米運転（Ｓ３）において、一時停止スイッチＰのスイッチ操作（Ｓ４）に応じて、タイマー停止（Ｓ４ａ）、精米機６への玄米供給停止および精米機６の内部残留米精米処理（Ｓ４ｂ）を経て精米機６内の全量を白米タンク６ａに排出（Ｓ４ｃ）することにより、利用者の小分け取出しが可能となり、その後の精白度選択スイッチ１３ｂの操作（Ｓ４ｄ）によって精米運転の再開およびタイマーのカウント再開（Ｓ４ｅ）により次の小分けの対応が可能となる。  
【００３３】
また、前記投入玄米量の判定（Ｓ５）によって投入ホッパ２の投入玄米が尽きた場合は、残米処理運転（Ｓ５ａ）に入り、続く図５のフローチャートの一時停止スイッチＰの判定（Ｓ６）により、石抜機４のシャッタ４ｓ制御による石抜残米排出中に限り、スイッチ操作に応じて小分け取出しのための精米機６の一時停止（Ｓ６ａ，Ｓ６ｂ）と再開操作による残米精米処理（Ｓ６ｃ，Ｓ６ｄ）を行う。  
【００３４】
また、一時停止スイッチＰの判定（Ｓ６）により、スイッチ操作が無かった場合は、石抜機４の残米処理および残米精米運転（Ｓ７）を経て精米運転終了（Ｓ８）により、残りの精白米取出しが可能となる。  
【００３５】
このように、操作パネルに一時停止スイッチＰを設け、液晶パネルに表示された玄米量に基づき、所望量に達した時点で利用者が一時停止スイッチＰを押下すると、精米機への玄米供給を一時停止する。利用者が白米タンクから白米を取出した後に、一時停止スイッチＰを再度押下することにより、精米処理が再開されることで、簡易なスイッチ操作によって、精白米の小分け取出しが可能となる。  
【００３６】
この場合において、白米タンク６ａに白米有無センサ６ｓを設けることにより、白米の取出しに伴う精米処理の自動再開が可能となる。  
【００３７】
また、初期精米終了後から玄米投入部２の玄米残存中に限って一時停止スイッチＰを機能させて一時停止操作可能とすることで、精米時の最低必要量の確保が可能となり、次の排出時の精米状態を確保することができる。  
【００３８】
また、精米機入口の玄米タンク６ｂ内の玄米が所定量以上の場合に限って一時停止スイッチＰによる一時停止を適用可能とすることにより、次の排出時の精米状態を確保することができる。  
【００３９】
玄米投入ホッパ２の投入玄米が尽きた時点において石抜機４等の残米処理中の場合は、残米処理が終了するまで精米再開を待つことにより、精米作動必要量による精米状態の確保が可能となる。
【００４０】
投入料金が最小料金の場合は、玄米投入部２からの搬送手段と検出手段とによって所定量が搬送されるまでの間（投入ホッパ２のロータリバルブ２ｒの回転数から算出された玄米量が例えば５ｋｇ未満の場合）について、一時停止操作を無効とすることで、精米作動必要量による精米状態の確保が可能となる。
【００４１】
また、定量精米選択ボタンを設け、その選択（例えば、５ｋｇ単位の定量精米）により、終了精米処理を所定の精米量毎に行い、所定時間の精米処理中断を挟むことにより、利用者は計量しなおすことなく、定量の小分けが可能となる。  
【００４２】
この場合、終了精米処理中は、玄米タンク６ｂのロータリバルブ６ｒと玄米投入部２のロータリバルブ２ｒを停止し、その他の機器は動作を継続することで、利用者はその間に白米タンク６ａからの小分け取出しができる。  
【００４３】
また、単一の定量精米選択ボタンを複数回押すことで、定量モードを「３０ｋｇ→２０ｋｇ→１５ｋｇ→１０ｋｇ→５ｋｇ→連続精米」を循環して順次切替可能に構成し、または、「３０ｋｇ」、「１０ｋｇ」、「連続」と対応して配列した複数ボタンから選択可能に構成する。
【００４４】
（技術的ポイント）
上述構成の精米設備の技術的ポイントについてまとめると、次のとおりである。
第１に、精米設備の精米運転を一時的に停止する一時停止制御と、この一時停止制御を適用するための一時停止スイッチＰとを設けることにより、一時停止スイッチＰの操作で精米運転が一時的に停止されることから、このタイミングで白米タンク６ａに貯留された処理済みの精白米の取出しが可能となる。
【００４５】
第２に、一時停止スイッチＰは、精米機６内を空にして精米運転を停止することにより、その後の精米再開が容易となり、また、精米運転の再開までの間について料金のカウントを停止することにより、白米袋詰め操作のために利用者が必要とする時間を確保することができる。
【００４６】
第３に、一時停止スイッチＰの操作による一時停止時においては、精白度選択スイッチ１３ｂを操作すると、対応する白度で精米運転を再開することから、選択した新たな精白度の小分け精米が簡単な操作で可能となる。
【００４７】
第４に、一時停止スイッチＰの操作による一時停止時においては、一時停止スイッチＰを再度操作すると、共通の精白度で精米運転を再開することから、精白度選択スイッチ１３ｂの誤操作防止して、同一条件の精米運転による小分け精米が可能となる。
【００４８】
第５に、投入玄米量が設定量以下の場合は小分け精米を規制することで、精米不良を防止できる。
【００４９】
第６に、精米機６の精米処理開始時に、精米機６の圧迫板を略全閉にしてから選択の精白度位置まで開くための所定時間に及ぶ精米初期制御の間は小分け精米を規制することで、精米不良を防止できる。
【００５０】
第７に、石抜機４を備える場合にあっては、玄米投入部２内の玄米が尽きたことを検出すると、残米処理運転に移行するとともに、石抜機４の残米処理の終了までの間について小分け精米を適用可能とすることにより、石抜機４の残米による小分け精米が可能となり、また、石抜機４の残米処理終了後は小分け精米を規制することで精米不良を防止できる。
【符号の説明】
【００５１】
１      精米設備
２      投入ホッパ（玄米投入部）
４      石抜機
６      精米機
６ａ    白米タンク
１３ａ  料金投入部（コインセンサ）
１３ｂ  精白度選択スイッチ
Ｐ      一時停止スイッチ
【図１】
2018012074.tif 000003
【図２】
2018012074.tif 000004
【図３】
2018012074.tif 000005
【図４】
2018012074.tif 000006
【図５】
2018012074.tif 000007
【図６】
2018012074.tif 000008